(57)【特許請求の範囲】
【請求項１】
配線・配管の経路に沿って連設されて配線・配管材を収容するための、金属製線材で構成され且つ長手に上方開口した受け具装置であって、
配線・配管材が載置される第一の底部、この第一の底部の幅両側に立設する第一の側部、及び、前記第一の底部上で上方開口した第一の開口を有する受け具と、
前記第一の側部の内面側に配置されて配線・配管材が載置される第二の底部、この第二の底部の幅方向先端側に立設する第二の側部、及び、前記第二の底部上で上方開口した第二の開口を有する棚具と、を備え、
前記受け具は前記第一の底部と前記第二の底部との間に所定高さの収容空間を有し、
前記収納空間への配線・配管材の出し入れが可能な開口幅で前記第一の開口を形成すると共に前記第二の底部上に第二の収容空間を形成するように、前記第二の底部の底部幅が定められていることを特徴とする配線・配管材の受け具装置。
【請求項２】
棚具が幅両側の第一の側部に設けられ、且つこれら棚具同士の間が第一の底部上の収容空間への配線・配管材の出し入れが可能な第一の開口となるように設けられたことを特徴とする請求項１記載の配線・配管材の受け具装置。
【請求項３】
第一の底部と、この第一の底部の幅両側から立設する第一の側部とを有する受け具横線材と、
第二の底部と、この第二の底部の幅方向先端側に立設する第二の側部とを有する棚具を構成する棚具横線材と、
が、それぞれ経路方向に適宜間隔をおいて配置され、
経路方向に沿って配置される複数の縦線材に溶接によって、前記受け具横線材と前記棚具横線材が連結されていることを特徴とする請求項１又は２記載の配線・配管材の受け具装置。
【請求項４】
経路方向となる縦線材とこれに直交する横線材とに線材を組み、その際には、
受け具の断面形状を形成する略コ字状に屈曲形成させた横線材の、第一の側部に相当する両側の一方の下半からこの第一の側部の内面側に屈曲させて第二の底部を形成させ、更に上方に屈曲させて第二の側部を形成させた横線材、を経路方向へと適宜間隔に配置し、
その際には棚具に相当する側が経路方向の両側へと適宜交互となるように配置した横線材を、縦線材で連結させて形成したことを特徴とする請求項１又は２記載の配線・配管材の受け具装置。
【請求項５】
経路方向となる縦線材とこれに直交する横線材とに線材を組み、その際には、
受け具の断面形状を形成する略コ字状に屈曲形成させた受け具横線材と、
受け具の断面形状を形成する略コ字状に屈曲形成させ、第一の側部に相当する部分の下半からこの第一の側部の内面側に屈曲させて第二の底部を形成させ、更に上方に屈曲させて第二の側部を形成させた棚具横線材と、
を経路方向に適宜交互に配置して、縦線材で連結させて形成されたことを特徴とする請求項１又は２記載の配線・配管材の受け具装置。
【請求項６】
棚具が受け具と別体に設けられ、前記棚具には第一の側部に装着するための装着部を有し、前記受け具には前記装着のための被装着部を有することを特徴とする請求項１又は２記載の配線・配管材の受け具装置。
【請求項７】
装着部が、受け具の第一の側部上端に係止するフックであることを特徴とする請求項６記載の配線・配管材の受け具装置。
【請求項８】
装着部が、第二の底部の幅方向基端側に設けられて第一の側部に係止するフックと、第一の側部に支持されて棚体を所定の姿勢に保持するための回り止め部とからなることを特徴とする請求項６記載の配線・配管材の受け具装置。
【請求項９】
請求項６から８のいずれか一項に記載の配線・配管材の受け具装置の受け具。
【請求項１０】
請求項６から８のいずれか一項に記載の配線・配管材の受け具装置の棚具。
【発明の詳細な説明】
【技術分野】
【０００１】
この発明は、金属製の線材を溶接等して形成され、ケーブル等の配線・配管材が載置される配線・配管材の受け具の改良に関するものであり、特に、大量の配線・配管を収容でき、或いは他種類の配線・配管を区分けして収容できる配線・配管材の受け具、受け具装置及び棚体に関する。
【背景技術】
【０００２】
従来、各種建物の内部では天井裏や床下などにケーブル等の配線・配管材を敷設する場合、これら配線・配管材の経路に沿ってあらかじめ受け具を連設し、この受け具上に載置して収容している。
【０００３】
またこの様な受け具には、図１５の様な線材を組んでだ受け具５００があり、上方開口した開口からケーブルなどを入れるようになっている（特許文献１参照）。また図１６のような梯子状の受け具６００があり、これもケーブルを載置するようになっている。さらに図１７のような筒状の受け具７００があり、ケーブルＫを引き具で引き込む様になっている（特許文献２参照）。
【特許文献１】特開２００４−９７０００公報
【特許文献２】特開平８−２８０１１６号公報
【発明の開示】
【発明が解決しようとする課題】
【０００４】
ケーブル等の配線・配管材が収容される配線・配管材の受け具は、その収容量が大量となる場合には、載置面の幅が広くなければならず、幅広の受け具等のように大型化を招いていた。幅広になると収納重量の増加と相まって、載置面である受け具の底部が撓んだりする不具合がある。受け具の設置が壁からの片支持アームで支持されるのであればアームが撓むなどもする。
【０００５】
またケーブルを種類別に分けて収容したい場合がある。例えば強電ケーブルと弱電ケーブルのように分けて、収容する場合には、載置場所に仕切りを立て、仕切られたそれぞれに強電と弱電を分けるなどしている。
【０００６】
また例えば、受け具の幅を広げることなく収容量を増やすために、図１８のような棚を複数設けて、載置面を多段化した受け具８００もある（特開２００７−１４３３９３）。図示したこの受け具８００は、上方のシュータ８０１を通すシャトルにケーブルを引き込ませるものである。或いは図１７のように引き具７０１で引き込ませるのである。ただこれらの道具で引き込む受け具８００は、それを多段化させたばあいには、引き込んだケーブルの各棚への載置も、手で捌くのではなく何らかの道具で行うので、作業が困難になる傾向にある。強電ケーブルのように、剛性のあるものは、特に捌きにくい。また図５４のような受け具は、引き込みも棚へ載せる捌きも下方からの操作なので、床下にこの様な受け具を用いることができない。
【０００７】
また床下に受け具を設置する場合、強電ケーブルのように、最初に配線したらその後はあまり再配線することの少ないものと、電話線やＩＴ機器の回線のように、比較的配線し直すことの多いものとでは、作業者が操作し易いものが好ましい。
【０００８】
以上の問題を鑑み、本願発明は収容量の大きい受け具であり、収容する配線・配管材の種別に対する仕分けがし易く、多彩な場所に設置することのできる配線・配管材の受け具装置とこれらに関する受け具及び棚具を提供することにある。
【課題を解決するための手段】
【０００９】
以上の課題を解決するため、本願請求項１記載の発明は、配線・配管の経路に沿って連設されて配線・配管材を収容するための、金属製線材で構成され且つ長手に上方開口した受け具装置である。そして、配線・配管材が載置される第一の底部、この第一の底部の幅両側に立設する第一の側部、及び、前記第一の底部上で上方開口した第一の開口を有する受け具と、前記第一の側部の内面側に配置されて配線・配管材が載置される第二の底部、この第二の底部の幅方向先端側に立設する第二の側部、及び、前記第二の底部上で上方開口した第二の開口を有する棚具と、を有している。そして、受け具は、第一の底部と第二の底部との間に所定高さの収容空間を有し、収納空間への配線・配管材の出し入れが可能な開口幅で第一の開口を形成すると共に第二の底部上に第二の収容空間を形成するように、第二の底部の底部幅が定められていることを特徴とする。
【００１０】
請求項２記載の発明は、請求項１記載の配線・配管材の受け具装置であって、棚具が幅両側の第一の側部に設けられ、且つこれら棚具同士の間が第一の底部上の収容空間への配線・配管材の出し入れが可能な第一の開口となるように設けられたことを特徴とする。
【００１１】
請求項３記載の発明は、請求項１又は２記載の配線・配管材の受け具装置であって、第一の底部と、この第一の底部の幅両側から立設する第一の側部とを有する受け具横線材と、そして、第二の底部と、この第二の底部の幅方向先端側に立設する第二の側部とを有する棚具を構成する棚具横線材とが、それぞれ経路方向に適宜間隔をおいて配置されている。そして、経路方向に沿って配置される複数の縦線材に溶接によって、前記受け具横線材と前記棚具横線材が連結されていることを特徴とする。
【００１２】
請求項４記載の発明は、請求項１又は２記載の配線・配管材の受け具装置であって、経路方向となる縦線材とこれに直交する横線材とに線材を組み合わせてある。その際には、受け具の断面形状を形成する略コ字状に屈曲形成させた横線材の、第一の側部に相当する両側の一方の下半からこの第一の側部の内面側に屈曲させて第二の底部を形成させ、更に上方に屈曲させて第二の側部を形成させた横線材、を経路方向へと適宜間隔に配置し、その際には棚具に相当する側が経路方向の両側へと適宜交互となるように配置した横線材を、縦線材で連結させて形成したことを特徴とする。
【００１３】
請求項５記載の発明は、請求項１又は２記載の配線・配管材の受け具装置であって、経路方向となる縦線材とこれに直交する横線材とに線材を組み合わせてある。その際には、受け具の断面形状を形成する略コ字状に屈曲形成させた受け具横線材と、受け具の断面形状を形成する略コ字状に屈曲形成させ、第一の側部に相当する部分の下半からこの第一の側部の内面側に屈曲させて第二の底部を形成させ、更に上方に屈曲させて第二の側部を形成させた棚具横線材と、を経路方向に適宜交互に配置して、縦線材で連結させて形成されたことを特徴とする。
【００１４】
なお、受け具横線材は第一の底部と第一の側部を有していれば、その他にどの様な構成を有していてもよく、例えばさらに第二の底部や第二の側部を有していてもよい。逆に棚具横線材も、第二の底部と第二の側部を有していれば、その他にどの様な構成を有していてもよく、例えばさらに第一の底部や第一の側部を有していてもよい。また請求項３記載の発明は、請求項４、５記載の発明の上位概念である。例えば請求項４の横線具は、請求項３の受け具横線材でもあり棚具横線材でもある。また請求項３、５の受け具横線材と棚具横線材とが「経路方向に適宜交互に配置」される場合、或いは請求項４の横線材が「経路方向に適宜交互に配置」される場合には、これらの各横線材とは異なる形状に屈曲された任意な横線材を、前記配置の一部として別途入れることは自由である。
【００１５】
請求項６記載の発明は、請求項１又は２記載の配線・配管材の受け具装置であって、棚具が受け具と別体に設けられ、前記棚具には第一の側部に装着するための装着部を有し、前記受け具には前記装着のための被装着部を有することを特徴とする。
【００１６】
（削除）
【００１７】
（削除）
【００１８】
請求項７記載の発明は、請求項６記載の配線・配管材の受け具装置であって、装着部が、受け具の開口に係止するフックであることを特徴とする。
【００１９】
請求項８記載の発明は、請求項６記載の配線・配管材の受け具装置であって、装着部が、第二の底部の幅方向基端側に設けられて第一の側部に係止するフックと、第一の側部に支持されて棚体を所定の姿勢に保持するための回り止め部とからなることを特徴とする。
【発明の効果】
【００２０】
本願請求項１記載の受け具装置の発明によれば、配線・配管材を収容する底部が複数段であるので受け具装置の幅を広げることなく多数の配線・配管材を収容することができ、その際には上方からの出し入れができる。特に線材で構成されるので、上方の開口以外からでも、例えば線材の目からでも、配線・配管材の出し入れ・仕分けなどの操作を補助することができる。また特段に仕切りなどを設けなくても、収容する配線・配管材の仕分けができる。
【００２１】
請求項２記載の受け具装置の発明によれば、棚具を左右に設けるので、収容量が増え、また棚数など載置場所が増えて、配線・配管材の仕分け場所が増える。
【００２２】
請求項３、４、５記載の受け具装置の発明によれば、ともに受け具装置の具体的構成が提供される。特に、請求項４記載の発明は、横線材の屈曲形状を２種類準備する請求項４に較べて、１種類の準備ですむ。
【００２３】
請求項６記載の受け具装置の発明によれば、請求項３、４、５同様に受け具装置の具体的構成が提供され、具体的には、受け具と棚具を別個に製造しておき、最後に棚具を受け具に装着することができるので製造が容易になる。
【００２４】
また棚具は請求項２のように両側に設けるとは限らず、片側でもよく、また一段に限らず２段でもよいが、この様な場合、１種類の棚具を何種類かの受け具装置の製造に用いることができる。
【００２５】
請求項９記載の受け具の発明によれば、当初は受け具だけを設置し、将来、敷設させたい配線・配管材が増加した場合には、棚具を装着させて増設し、収容量を増やすことができる。
【００２６】
請求項１０記載の発明によれば、請求項６記載の受け具を先に設置されておいた場合に、その増設用の棚具として提供することができる。
【００２７】
請求項７〜８記載の発明によれば、棚具の受け具への装着手段を提供する事ができる。また共に線材で構成された棚具であるためにフックによる装着部を設けることが容易である。
【発明を実施するための最良の形態】
【００２８】
以下に、本願発明の実施の形態を、図をもって説明する。
【実施例１】
【００２９】
図１〜２に示すのは、請求項１〜４に係る受け具装置である。
この受け具装置１００は、配線・配管の経路に沿って連設されて配線・配管材を収容するための、金属製の線材１０，２０で構成された、また長手に上方開口した受け具装置１００である。線材１０，２０は、経路方向となる縦線材１０と、これに直交する横線材２０とに組み合わせて構成されている。
【００３０】
更にこの受け具装置１００は、図２に示されているように、受け具３０と棚具４０とを有している。そして受け具３０は、配線・配管材が載置される第一の底部３１と、この第一の底部３１の幅両側に立設する第一の側部３２とを有している。
【００３１】
棚具４０は、第一の側部３２の内面側に配置されていて、配線・配管材が載置される第二の底部４１と、この第二の底部４１の幅方向先端側に立設する第二の側部４２とを有している。そしてこの様な棚具４０が、受け具３０の両側の第一の側部３２，３２に２つ設けられ、且つこれら棚具４０同士の間が第一の底部３１上の収容空間への配線・配管材の出し入れが可能な開口３３となるような底部幅Ｗに設けられている。そして第二の底部４１は、第一の底部３１上に収容空間を形成する高さＨに形成されている。
【００３２】
この受け具装置１００は図３に示すように、略コ字状に屈曲形成させた横線材２０ａの、左右に２つある第一の側部３２の一方を、その中段で屈曲させ、つまり下半からこの第一の側部３２の内面側に屈曲させることにより、棚具４０の第二の底部４１を形成させてある。そしてその先端を更に上方に屈曲させて、第二の側部４２を形成させてある。
【００３３】
この様な横線材２０は、図３に示してあるように、経路方向へと等間隔に配置し、その際には横線材２０の棚具に相当する側が、交互に経路方向の左右となるように配置して、これら横線材２０に縦線材１０を溶接することにより連結させ、受け具装置１００が形成されている。
【００３４】
この受け具装置１００の使用方法は、以下のようになる。この受け具装置１００は長手に形成されているが、この受け具装置１００を経路に沿って連設して、必要な配線経路に配置しておく。配置場所は、例えば天井裏に配置したり、天井から垂下させて配置したり、或いは壁に沿って配置したり、更には、床下に配置するなどするのである。またこの受け具装置１００は、配線・配管材の収納場所が第一の底部３１と、第二の底部４１との２種類となっている。第二の底部４１は左右２つあるので、場所的には３箇所となる。
【００３５】
第一の底部３１に配線・配管材を入れる場合には、２つの棚具の間に形成された開口３３から入れることとなる。この開口３３（第一の開口）は、図４の平面図でも分かるように広く形成されており、第一の開口から入れた配線・配管材を、手で底部の左右に振り分けなどの捌き作業も容易に行えるようになっている。また受け具３０が線材１０、２０で構成されているので、線材１０、２０の目から作業状態がよく確認でき、作業箇所が棚具の下であっても、ブラインド状態になることがない。この点は、図５４の様に板状の部材で構成された受け具と異なり、線材１０、２０で構成されることの利点である。
【００３６】
第二の底部４１に配線・配管材を載置する場合には、単に棚具の開口（第二の開口）に入れればよい。
【００３７】
これら第一と第二の開口が共に上方開口しており、また第一の開口３３も十分な広さなので、第一の底部３１への配線・配管材の出し入れが不自由なく行える。また共に上方開口であるので、この受け具装置１００を床下に設置すると棚具の下方に位置する第一の底部３１に対しても、配線・配管材の出し入れ操作が可能・容易となる。
【００３８】
また収納場所が３箇所となるので、配線・配管材の種類別に収容場所を仕分けすることができる。例えば第一の底部３１には強電ケーブルを敷設し、第二の底部４１には、弱電ケーブルを敷設するなどである。或いは第二の底部４１は２つあるので、弱電ケーブルと、電話線やパソコンケーブルのような情報回線とに仕分けして用いてもよい。この様にすれば、配線の変更があまり無い強電ケーブルが第一の底部３１であるのに対し、比較的配線の変更が多い情報回線は、受け具装置１００の上方に配置されているので出し入れが容易である。受け具装置１００が床下に配置された場合には、床材パネルをめくると棚具が露出するので、配線変更の作業が容易に行える。
【実施例２】
【００３９】
図５に示す実施例２は、請求項１、２、３、５に係る受け具装置２００である。この受け具装置２００は、受け具３０や棚具４０の形状と配置が実施例１のそれと同じである。
【００４０】
違いは、製造する際に用いる横線材２０の形状のみである。実施例１は横線材２０が１種類であったが、この実施例２では、２種類の横線材２０ａ、２０ｂを用いるのである。即ち、１つの横線材２０ａは、受け具の断面形状を形成する略コ字状に屈曲形成させたてある（受け具横線材２０ａ）。もう１つの横線材２０ｂは、受け具の断面形状を形成する略コ字状に屈曲形成させ、この横線材２０ｂの、左右に２つある第一の側部３２を、ともにその中段で屈曲させ、つまり下半からこの第一の側部３１の内面側に屈曲させることにより、棚具の第二の底部４１をそれぞれ形成させてある。そしてその先端を更に上方に屈曲させて、第二の側部４２を形成させてある（棚具横線材）。
【００４１】
この様な横線材２０ａ、２０ｂは、図６に示してあるように、受け具横線材２０ａと棚具横線材２０ｂを経路方向へと交互かつ等間隔に配置し、これら横線材２０ａ、２０ｂに縦線材１０を溶接して連結させることにより、受け具装置２００２００２０２０２０ａが形成されている。使用方法は第一の実施例と同様である。
【実施例３】
【００４２】
図７〜１０に示す実施例３は、請求項１、２、６及び７に係る受け具装置３００の実施例である。この実施例３の受け具装置３００は、受け具３０の形状が実施例１〜２のそれとほぼ同じであり、また左右に２つの棚具４０が設けられている点も同じである。つまり受け具３０の左右の第一の側壁３２に、それぞれ棚具４０が設けられている。また線材１０、２０で構成され、経路方向となる縦線材１０とこれに直交する横線材２０ｕ、２０ｔとに組み合わせてある点も同じである。
【００４３】
実施例１〜２との相違点は、棚具４０が受け具３０と別体に設けられている点である。即ち、受け具３０は、図１１に示すように断面形状が略コ字状をなしており、これに図１２に示すような棚具４０が装着されているのである。
【００４４】
受け具３０は横線材２０ｕが略コ字状に形成され、この横線材２０ｕを経路方向に配置し、これら横線材２０ｕに縦線材１０を溶接して連結させることにより、受け具３０が形成されている。また棚具４０も基本的には同様であり、大きさは異なるが略コ字状の横線材２０ｔの多数を、縦線材１０で連結させて形成されている。
【００４５】
ただ棚具４０の横線材２０ｔは、図１２に示すように、略コ字状に屈曲した際の片側の先端が延長させてフック２１に折り返してある。このフック２１は、受け具３０の開口３４（即ち第一の側壁３２の上端の縦線材１０ａ）に係止できる形状に形成されていて、受け具３０に対する装着部をなしている。従って、受け具３０の開口３４は、棚具４０に対する被装着部をなしている。
【００４６】
この様な受け具３０と棚具４０を別個に製造しておき、受け具３０に装着することにより、図７〜１０に示した様な受け具装置３００が形成されるのである。なお棚具４０は１種類でよく、向きを変えて装着すれば、左右のそれぞれの棚具４０となす事ができる。
【００４７】
また実施例３は棚具４０が一段であり、受け具３０の底部３１と合わせると、上下２段の収容場所を有するのであるが、棚具４０を二段として上下３段の収容場所を形成させてもよい。その場合、図示しないが、最上段の棚具は開口３４（第一の側壁３２の上端）に装着させるのであるが、中段の棚具は、側壁中段の縦線材にフックを掛けて装着させるのである。
【００４８】
なおフックで装着しただけでは、棚具４０の安定性に欠ける場合があり、よって図７に示すように塑性変形可能な金属製のクリップ材Ａで、棚具４０の横線材２０ｔを、受け具の横線材２０ｕ或いは縦線材１０に束ねるようにして固定してある。また更に、クリップ材でなくとも、ボルト・ナットなどの狭持具により両線材を固定又は連結する様にしてもよい。
【００４９】
また実施例３では、当初から棚具４０が装着されているが、棚具４０の装着されていない状態で、受け具３０だけで連設して配置してもよい。これは当初の見込みでは、敷設する配線・配管材の量に通常の量を想定しており、最終的にもその見通しでよいと判断されるような場合であって、ただ将来、予定外の追加の敷設も加味した方がような場合は、棚具４０を増設して、収容量の予定外の増大に応えるようにしてもよい。
【実施例４】
【００５０】
図１３に示す実施例４は、請求項１、２、６及び８に係る受け具装置４００の実施例である。
【００５１】
受け具３０は実施例３の受け具３０と同じである。棚具４０が実施例３と異なっており、即ち、横線材２０ｔが図１４に示すようなカギＳ字状に屈曲されている。つまり棚具４０を形成する横線材２０ｔは、第二の底部４１を形成して装着時には略水平姿勢になる中央部位２０ｘと、その一端にて上方に屈曲延長されて第二の側壁に対応する上端部位２０ｙと、他端にて下方に屈曲延長されて後述する回り止め部となる下端部位２０ｚとの３つの部位になっている。そして下端部位２０ｚには溶接などにより取り付けられたフック２２が設けられ、これを第一の側壁３２の縦線材１０ｂに係止させることにより、棚具４０を受け具３０に装着させようになっている。これらカギＳ字状の横線材２０ｔは、他の実施例同様に縦線材１０で連結されて棚具４０を形成している。
【００５２】
この様な棚具４０を、受け具３０の中に入れ、第一の側壁３２の縦線材１０ｂにフック２２を掛けるのである。こうすればフック２２を掛けた縦線材１０ｂを軸にして棚具４０が回ろうとするが、受け具横線材２０ｕの下端部位２０ｚが、第一の側壁３２の縦線材１０ｃに当接して回れ止め部として機能するので、図１３に示すような姿勢を維持することができる。又この回り止め部は、図示しないクリップ材で第一の側壁に固定して安定させてある。
【００５３】
なおクリップなどによる固定ではなく、溶接してもよい。つまり棚具４０は、その横線材２０ｔのフック２２や下端部位２０ｚを、受け具３０の縦線材（１０ｂや１０ｃ）に溶接するのである。この様に溶接したものは、請求項１〜３の実施例となる。
【００５４】
以上の本願発明は、上記実施例に限定されるものではなく、発明の趣旨を逸脱しない範囲でどの様に実施されてもよい。棚具は受け具両側に設けられるのに限らず、片側だけに設けてもよい。棚部は一段でも何段でもよい。
【図面の簡単な説明】
【００５５】
【図１】この図は、実施例１の受け具装置の斜視図である。
【図２】この図は、実施例１の受け具装置を長手方向から見た図である。
【図３】この図は、横線材の配置を説明する図である。
【図４】この図は、実施例１の受け具装置を上から見た切り欠き図である。
【図５】この図は、実施例２の受け具装置の斜視図である。
【図６】この図は、横線材の配置を説明する図である。
【図７】この図は、実施例３の受け具装置の斜視図である。
【図８】この図は、実施例３の受け具装置を長手方向から見た図である。
【図９】この図は、実施例３の受け具装置を上から切り欠き図である。
【図１０】この図は、実施例３の受け具装置を横から見た切り欠き図である。
【図１１】この図は、実施例３の受け具を長手方向から見た図である。
【図１２】この図は、実施例３の棚具を長手方向から見た図である。
【図１３】この図は、実施例４の受け具装置を長手方向から見た図のである。
【図１４】この図は、実施例４の棚具を長手方向から見た図である。
【図１５】この図は、従来の受け具（特許文献１）の図である。
【図１６】この図は、従来の別の受け具の図である。
【図１７】この図は、従来の更に別の受け具（特許文献２）の図である。
【図１８】この図は、従来の更に別の受け具の図である。
【符号の説明】
【００５６】
１００、２００、３００、４００  …受け具装置
１０  …縦線材
２０、２０ａ、２０ｂ、２０ｕ、２０ｔ  …横線材
２１、２２  …フック
３０  …受け具
３１  …第一の底部
３２  …第一の側部
４０  …棚具
４１  …第二の底部
４２  …第二の側部
【図１】
0005065824.tif 000002
【図２】
0005065824.tif 000003
【図３】
0005065824.tif 000004
【図４】
0005065824.tif 000005
【図５】
0005065824.tif 000006
【図６】
0005065824.tif 000007
【図７】
0005065824.tif 000008
【図８】
0005065824.tif 000009
【図９】
0005065824.tif 000010
【図１０】
0005065824.tif 000011
【図１１】
0005065824.tif 000012
【図１２】
0005065824.tif 000013
【図１３】
0005065824.tif 000014
【図１４】
0005065824.tif 000015
【図１５】
0005065824.tif 000016
【図１６】
0005065824.tif 000017
【図１７】
0005065824.tif 000018
【図１８】
0005065824.tif 000019